(57)【要約】【課題】  配線を容易に収納すると共に美観を維持できる。効率良く施工や利用を行うことができる。【解決手段】  配線１を収納する収納部２と収納部２の開口３に着脱自在な蓋体４とからなる床配線収納ダクト５を、その上面部が床仕上げ材６の上面と面一となるように床７の辺縁部に沿って配設する。【選択図】        図１
2005312101.tif 000002
【特許請求の範囲】
【請求項１】
配線を収納する収納部と収納部の開口に着脱自在な蓋体とからなる床配線収納ダクトを、その上面部が床仕上げ材の上面と面一となるように床の辺縁部に沿って配設して成ることを特徴とする室内配線収納構造。
【請求項２】
床を支持する支柱とは別個の支柱により床配線収納ダクトを支持させて成ることを特徴とする請求項１記載の室内配線収納構造。
【請求項３】
床配線収納ダクトが、際根太と一体的に設けてあることを特徴とする請求項１又は請求項２記載の室内配線収納構造。
【請求項４】
床配線収納ダクト内に配線器具を取付ける取付け部を設けて成ることを特徴とする請求項１乃至請求項３のいずれかに記載の室内配線収納構造。
【請求項５】
床の辺縁部に沿って配設した床配線収納ダクト上に該床配線収納ダクトと直交するように間仕切り壁を形成し、該間仕切り壁の骨組み体の下部に配線ダクト兼用下横枠を形成し、該配線ダクト兼用下横枠と床の辺縁部に沿って配設した床配線収納ダクトとを連通させて成ることを特徴とする請求項１乃至請求項４のいずれかに記載の室内配線収納構造。
【発明の詳細な説明】
【技術分野】
【０００１】
本発明は、屋内において配線を収納するための技術に関するものである。
【背景技術】
【０００２】
近年、マンション等の一般家庭において、新築時、改装時の施工中あるいは施工後に、家具を含めた室内レイアウトを自在に設定したいとのニーズがある。そして、それに併せて配線の自在性も要求され、そのようなニーズを満たす室内配線収納構造が求められている。
【０００３】
一方、オフィスにおいては、従来から、床配線システムというものが存在している。例えば、多数の天板付きパネルを敷設すると共に、隣接する天板付きパネル間に上方が開口した配線用溝を有し且つ配線用溝の上方の開口に溝カバーが着脱自在に装着される溝付きパネルを配設することで、縦横に格子状に連通する配線用溝を形成した床を構成するものが知られている。（例えば、特許文献１参照）
ところが、上記の特許文献１に示された従来の床配線システムはオフィスの床の任意の位置から配線を取出すことができるように床に格子状に連通する配線用溝を形成したもので、このオフィス用の床配線システムを、そのまま一般家庭に適用すると、コスト、施工、無駄な配線収納スペース等の点において効率が悪いものとなってしまうという問題があり、また、床面に格子状に形成した配線用溝の溝カバーが位置することになって、美観上も好ましくなく、これらの理由により一般家庭には適用されていないのが現状である。
【特許文献１】特開平９−４１６３２号公報
【発明の開示】
【発明が解決しようとする課題】
【０００４】
本発明は上記の従来の問題点に鑑みて発明したものであって、配線を容易に収納すると共に美観を維持でき、また、効率良く施工や利用を行うことができ、例えば、一般家庭においても良好に使用することができる室内配線収納構造を提供することを課題とするものである。
【課題を解決するための手段】
【０００５】
上記課題を解決するために本発明に係る室内配線収納構造は、配線１を収納する収納部２と収納部２の開口３に着脱自在な蓋体４とからなる床配線収納ダクト５を、その上面部が床仕上げ材６の上面と面一となるように床７の辺縁部に沿って配設して成ることを特徴とするものである。
【０００６】
このような構成とすることで、室内の床７の辺縁部という邪魔にならない処に床配線収納ダクト５を配置して容易に配線１を収納でき、蓋体４を取付けることで、蓋体４が床７の辺縁部における床７上面に連続した辺縁材を構成して美観を良くし、更に、床７の辺縁部に床配線収納ダクト５を設けるので床７の施工は従来と同じ施工ができ、辺縁部のみ床配線収納ダクト５を施工するだけでよくて、効率良く施工ができ、また、配線１の利用に当たっては、床７の辺縁部に沿った床配線収納ダクト５から配線１を引き出すことで室内のレイアウトに応じて配線１を引き出して利用できるものである。
【０００７】
また、床７を支持する支柱８とは別個の支柱８ａにより床配線収納ダクト５を支持させることが好ましい。
【０００８】
このような構成とすることで、床７を支柱８で支持するという床７の支持システムをそのまま利用して従来と同様に床７を構成できながら、同時に床７の辺縁部に配置した床配線収納ダクト５を床７を支持する支柱８とは別個の支柱８ａにより確実に支持できるものである。
【０００９】
また、床配線収納ダクト５が、際根太９と一体的に設けてあることが好ましい。
【００１０】
このような構成とすることで、床配線収納ダクト５を床７の辺縁部分を支持するための際根太９により支持できて、床配線収納ダクト５の支持が床７の辺縁部を支持する際根太９により共通して行え、床配線収納ダクト５と床７との一体連続性が得られ、床７の辺縁部の収まりも良くなるものである。
【００１１】
また、床配線収納ダクト５内に配線器具１０を取付ける取付け部１１を設けることが好ましい。
【００１２】
このような構成とすることで、床配線収納ダクト５内に配線１を収納するだけでなく、床配線収納ダクト５内に設けた取付け部１１に配線器具１０を取付けることで上記配線１に接続した配線器具１０を収まり良く配設できるものである。
【００１３】
また、床７の辺縁部に沿って配設した床配線収納ダクト５上に該床配線収納ダクト５と直交するように間仕切り壁１２を形成し、該間仕切り壁１２の骨組み体１３の下部に配線ダクト兼用下横枠１４を形成し、該配線ダクト兼用下横枠１４と床７の辺縁部に沿って配設した床配線収納ダクト５とを連通させることが好ましい。
【００１４】
このような構成とすることで、床７の辺縁部に沿って配設した床配線収納ダクト５内に収納した配線１を間仕切り壁１２の骨組み体１３の下部の配線ダクト兼用下横枠１３内に通線して間仕切り壁１２内に配線１を容易に導入したり、あるいは、間仕切り壁１２内から配線ダクト兼用下横枠１３を介して床７の辺縁部に沿って配設した床配線収納ダクト５内に配線１を容易に導入したりすることができるものであり、これにより新築や改築において、現場毎に間仕切り壁１２の位置が異なっていても、間仕切り壁１２の位置の違いに容易に対応して配線１の施工ができるものである。
【発明の効果】
【００１５】
本発明は、室内の床の辺縁部という邪魔にならない処に床配線収納ダクトを配置して容易に配線を収納でき、蓋体を取付けることで、蓋体が床の辺縁部における床上面に連続した辺縁材を構成して美観を良くし、更に、辺縁部のみ床配線収納ダクトを施工するだけで床の施工は従来と同じ施工ができて効率良く施工ができ、また、配線の利用に当たっては、床の辺縁部に沿った床配線収納ダクトから配線を引き出すことで室内のレイアウトに応じて配線を引き出して利用でき、これらの結果、本発明の室内配線収納構造は、例えば、一般家庭においても良好に使用することができるものである。
【発明を実施するための最良の形態】
【００１６】
以下、本発明を添付図面に示す実施形態に基いて説明する。
【００１７】
マンションや戸建て住宅における室内の床７の辺縁部には床配線収納ダクト５が配設される。床配線収納ダクト５は上面部分が全長にわたって開口３した概略断面Ｕ状をした長尺の部材であってアルミニウムや軽鉄等の金属、あるいは合成樹脂により形成してあり、床配線収納ダクト５の内部が配線１を収納する収納部２となり、上面の開口３には蓋体４が着脱自在に取付けてある。
【００１８】
床７はスラブのような床基体５０の上に根太１５を配設し、該根太１５の上にパーチクルボードや合板のような床下地板１６を敷設し、該床下地板１６の上にフローリングのような床仕上げ材６を敷設することで構成してあり、根太１５は支柱８を介して床基体５０上に載設してあり、支柱８はアジャスタボルトなどで構成してあって上下長さが調整自在となっている。上記床７の辺縁部（つまり壁際）は壁１７との間に隙間があり、この床７の辺縁部と壁１７との間の隙間に床配線収納ダクト５が配設してあり、床配線収納ダクト５の上の開口３には蓋体４が着脱自在に取付けられ、該蓋体４と床仕上げ材６の上面とが面一又はほぼ面一となるようになっている。
【００１９】
床配線収納ダクト５の取付けに当たっては、上記床７を支持する支柱８とは別の支柱８ａを床配線収納ダクト５の下面部に取付けて支持する場合、あるいは、床７の一構成部材である根太１５のうち床７の辺縁部に沿って設けられる際根太９に床配線収納ダクト５を一体的に設ける場合、あるいは、床配線収納ダクト５を際根太９と一体的に設けることと床７を支持する支柱８とは別の支柱８ａを床配線収納ダクト５の下面部に取付けて支持することとを併用する場合がある。ここで、床７の一構成部材である根太１５のうち床７の辺縁部に沿って設けられる際根太９に床配線収納ダクト５を一体的に設ける場合は、床７と床配線収納ダクト５とを別個に施工したりレベル調整したりする必要がない。また、床配線収納ダクト５を際根太９と一体的に設けることと床７を支持する支柱８とは別の支柱８ａを床配線収納ダクト５の下面部に取付けて支持することとを併用する場合は、際根太９に床配線収納ダクト５を一体的に設けることによる施工の簡易化に加え、耐荷重強度も向上する。なお、この場合、床配線収納ダクト５の下面部に取付ける支柱８ａとしては、必ずしも自立支柱である必要はなく、荷重に対して床配線収納ダクト５を支える機能があれば足りる。なお、上記した床配線収納ダクト５の取付けの各例のうち一例として添付図面に示す実施形態では、床配線収納ダクト５を際根太９と一体的に設けることと床７を支持する支柱８とは別の支柱８ａを床配線収納ダクト５の下面部に取付けて支持することとを併用する例が示してあるが、上記のように必ずしもこれに限定されない。ここで、床配線収納ダクト５を際根太９に一体的に設けるには、床配線収納ダクト５の側面部を接着、釘打ち、ビス止め等の固着手段により際根太９に固着して一体化してあるが、床配線収納ダクト５と際根太９とを例えば軽鉄により一体に形成したり、あるいはアルミニウムの押出し成形により一体成形したりしたものであってもよい。
【００２０】
壁１７と床配線収納ダクト５との間にはパッキン材１８が介在されるものであり、このパッキン材１８は壁１７に固着されるが、床配線収納ダクト５は上記の支柱８ａや際根太９による支持に加え、更に該パッキン材１８に接着接着、釘打ち、ビス止め等の固着手段により固着することで支持強度をより強固にしてもよいものである。
【００２１】
ところで建物の壁としては、建物の躯体を構成する壁１７と間仕切り壁１２とがあるが、添付図面に示す各実施形態では床配線収納ダクト５が沿っている壁は建物の躯体の壁１７の例が示してある。そして、該壁１７に対して図４に示すように間仕切り壁１２が直交するように形成してある。この間仕切り壁１２は壁１７側の端部において上記壁１７に沿って（つまり床７の一辺縁部に沿って）配設した床配線収納ダクト５上に該床配線収納ダクト５と直交するように間仕切り壁１２を形成されるものである。
【００２２】
間仕切り壁１２は骨組み体１３の両面又は片面に面板２０を取着して構成してあり、骨組み体１３は配線ダクト兼用下横枠１４の上面部に複数のスタッド２１を立設し、この複数のスタッド２１の上端部を上枠材（図示せず）に固着して枠組み構成してある。
【００２３】
配線ダクト兼用下横枠１４は軽鉄により形成してあって、図４に示すように、配線ダクト兼用下横枠１４の下部が一側面又は両側面に側面開口部を有する配線用ダクト部２２となっており、配線用ダクト部２２の側面部には幅木４９が着脱自在に取付けられる。また、配線ダクト兼用下横枠１４の上部がスタッド２１を立設するための断面Ｕ字状をしたスタッド立設部２３となっている。配線用ダクト部２２の底面部を構成する下横片２４には下側ケーブル通し用開口２５が形成してあり、配線用ダクト部２２の上面部を構成する上横片２６には長手方向に沿って複数の上側ケーブル通し孔２７を形成してある。上横片２６は上記のように配線用ダクト部２２の上面部を構成すると共に断面Ｕ字状をしたスタッド立設部２３の底面部を構成している。上横片２６の長手方向に沿って複数設けた上側ケーブル通し孔２７は、スタッド立設部２３に立設する隣接するスタッド２１間に少なくとも１つ以上の上側ケーブル通し孔２７が位置するように形成してある。
【００２４】
そして、間仕切り壁１２を設けた部分においては、床配線収納ダクト５の上面の開口３には蓋体４が取付けてなく、該上開口３が間仕切り壁１２の下端部に設けた上記下側ケーブル通し用開口２５と連通している。
【００２５】
床７の辺縁部に配設された床配線収納ダクト５内には各種の配線１が収納されるものである。床配線収納ダクト５内に情報線や電力線等の配線１を導入するには、床配線収納ダクト５内の収納部２に床下空間や壁１７あるいは間仕切り壁１７内に通線した配線１を導入するものであり、壁１７や床下空間から導入するには床配線収納ダクト５の長手方向の端部開口やあるいは床配線収納ダクト５の底片部や側片部に通線孔（図示せず）を設けて収納部２に導入するようにする。また、間仕切り壁１７から導入する場合には天井裏から間仕切り壁１７の上枠材に設けた孔から間仕切り壁１７内に配線１を導入し、間仕切り壁１７のスタッド２１間を通して配線ダクト兼用下横枠１４の上側ケーブル通し孔２７から配線用ダクト部２２内に導入し、下側ケーブル通し用開口２５から床配線収納ダクト５の上面の開口３を経て床配線収納ダクト５の内部の収納部２に導入したりする。もちろん、床配線収納ダクト５の内部の収納部２に導入した配線１を図４に示すように、床配線収納ダクト５の開口３から、配線ダクト兼用下横枠１４の長手方向の端部の下側ケーブル通し用開口２５、上側ケーブル通し孔２７を経て任意のスタット２１間に導入し、任意のスタッド２１に取付けた間仕切り壁用配線器具４５に接続するようにしてもよいものである。
【００２６】
また、図５のように、壁１７に設けてあるコンセント２８に配線１の端部に接続したプラグ２９を接続し、該配線１に接続したコンセント３０を配線１と共に床配線収納ダクト５内の収納部２に導入して収納するようにしてもよい。
【００２７】
ここで、蓋体４に通線口３１を設け、床配線収納ダクト５内の収納部２から室内空間、あるいは室内空間から収納部２内に配線１を導出あるいは導入する場合、配線１を上記蓋体４に設けた通線口３１に通線するようにする。
【００２８】
床配線収納ダクト５内の収納部２から室内空間に配線１を導出する場合、例えば、図６に示すように、床配線収納ダクト５内の収納部２に収納した情報線や電源線等の配線１にＬＡＮ、電話、ＴＶコンセント、電力線用コンセント等の配線器具１０を接続し、該配線器具１０に、一端部に接続コンセント３２を有するケーブル３３の他端部のプラグ３４を接続して該ケーブル３３の一端部の接続コンセント３２を室内に導出するようにしたり、あるいは、図７に示すように、収納部２内の配線器具１０に室内に設置した電気機器３５に接続されたケーブル３６の先端のプラグ３７を接続するようにしたりするものであり、蓋体４の長手方向に沿って複数個の通線口３１を設けることで、家具の設置位置、電気機器３５の設置位置等のレイアウトに対応して床７の辺縁部の長手方向に沿った任意の位置から配線１を室内に導出したり、あるいは床配線収納ダクト５内の収納部２に導入したりできるものである。
【００２９】
また、図６のようにケーブル３３を室内に導出するものの場合、このケーブル３３を使用しない時には、接続コンセント３２を含めてケーブル３３全体を収納部２内に収納して邪魔にならないようにしておくことができ、使用する場合だけ、前述のように室内に導出して使用するようにすることができる。
【００３０】
ところで、床配線収納ダクト５内の収納部２には配線１に接続される配線器具１０を支持するための取付け部１１を設けるようにしてもよい。この場合、取付け部１１は収納部２の対向する両側面の上下方向の略中間又は上部に長手方向にわたって連続してまたは長手方向に一定間隔で複数個設けてあり、図８に示すように開口３から収納部２内に配線器具１０を入れて配線器具１０のフランジ部を取付け部１１の長手方向の任意の位置に支持して取付けけた状態で、配線器具１０の下面と収納部２の底面部との間に下隙間３８が形成されるようにすることで、配線器具１０を取付け部１１に取付けても収納部２内を底面部に沿って配線１を収納できるものである。また、配線器具１０を入れて取付け部１１に取付けた状態で、配線器具１０の上面と蓋体４との間に上隙間３９が形成されるようにすることで、蓋体４の下方に、配線器具１０に外部に導出するケーブル３３のプラグ３４を差し込むための隙間が確保できるものである。
【００３１】
図９には本発明の他の実施形態が示してある。本実施形態では、床配線収納ダクト５の収納部２を上下２層、つまり、上収納部２ａと、下収納部２ｂとに分けた例である。下収納部２ｂは工事業者用の収納部２であり、例えば、工事業者が配線器具１０等に結線される配線１を収納するものであり、図９の実施形態では下収納部２ｂを長手方向に延びる垂直中仕切り壁４２により強電用下収納部２ｂ１、弱電用下収納部２ｂ２に分けてある。もちろん強電用下収納部２ｂ１、弱電用下収納部２ｂ２の巾方向の寸法は均等である必要はなない。
【００３２】
具体的には収納部２の対向する両側面の上下方向の略中間又は上部に取付け部１１を長手方向にわたって連続してまたは長手方向に一定間隔で複数個設け、この取付け部１１に示すように長手方向の一部に図９（ｂ）に示すように配線器具１０を支持して取付けると共に、配線器具１０を取付けていない部分に図９（ａ）に示すように中蓋体４１を着脱自在に支持して取付けることで中蓋体４１、配線器具１０により収納部２内を上収納部２ａと、下収納部２ｂとに仕切るものであり、工事業者は中蓋体４１を外して下収納部２ｂに配線１を収納する工事を行うものであり、配線器具１０を収納する場合は、下収納部２ｂに収納した配線１と配線器具１０とを接続すると共に配線器具１０を前述と同様に取付け部１１に支持して取付け、収納部２の長手方向において配線器具１０を配置していない箇所に中蓋体４１を配置して上記のようにして取付け部１１に支持するものである。ここで、中蓋体４１の任意の位置に配線器具取付け用開口部を設け、この配線器具取付け用開口部に配線器具１０を取付けるものであってもよい。
【００３３】
このようにして中蓋体４１、配線器具１０により収納部２を上下に仕切った状態では、収納部２内の上部が上収納部２ａとなるものであり、したがって、蓋体４を開けることで、工事業者が施工した配線１が露出しない上収納部２ａが現われるので、この上収納部２ａを居住者が配線を収納する部分として利用することができるものである。
【００３４】
例えば、室内のレイアウトに応じて居住者が床配線収納ダクト５内に収納した上記ＬＡＮ、電話、ＴＶコンセント、電力線用コンセント等の配線器具１０に、前述のように一端部に接続コンセント３２を有するケーブル３３の他端部のプラグ３４を接続し、このケーブル３３を上収納部２ａ内に這わせ、目的とする位置で通線口３１から室内に引き出したり、あるいは、室内に設置した電気機器３５に接続されたケーブル３６を該電気機器３５に最も近い通線口３１から上収納部２ａに導入し、上収納部２ａ内を収納部２内に配設した上記配線器具１０位置まで這わせて先端のプラグ３７を接続するようにしたりする。また、ケーブル３３を使用しない時には、接続コンセント３２を含めてケーブル３３全体を上収納部２ａ内に収納して邪魔にならないようにしておくことができる。
【００３５】
なお、上記各実施形態において、床配線収納ダクト５の収納部２（上下収納部２ａ、２ｂに上下を２分割したものにおいては上収納部２ａ）内には芳香剤を収納した芳香発生器（図示せず）を収納することもできる。この場合、上記取付け部１１を利用して芳香発生器を収納して取付けることができるようにすると、上記配線器具１０を取付ける場合で説明したのと同じ理由で芳香発生器に邪魔されることなく、配線１を収納することができる。このように床配線収納ダクト５の収納部２内に芳香剤発生器を収納した場合、上記通線口３１から室内に芳香が放散され、室内に居る人に香りによるリラックス感を与えることができる。この場合、上記通線口３１とは別に蓋体４に通気孔を形成してもよい。
【００３６】
また、床配線収納ダクト５の収納部２（上下収納部２ａ、２ｂに上下を２分割したものにおいては上収納部２ａ）内には照明装置（図示せず）を収納することもできる。照明器具の発光部は例えばＬＥＤなどで構成してあるが、該照明器具は収納部２に導入した配線１に接続するものであり、通線口３１から光が室内に出るでるようにしたり、あるいは、蓋体４に透光部を設けて光を室内に向けて出るようにしてもよい。これにより床７の辺縁部を照らして夜間の歩行支援等を行うことができる。
【００３７】
なお、照明器具や配線器具や芳香剤発生器を床配線収納ダクト５内に収納する場合、蓋体４の裏面に照明器具や配線器具や芳香剤発生器を取付けることもできる。この場合には、蓋体４を複数個に分割して、複数の蓋体４を長手方向に並べ代えることで照明器具や配線器具や芳香剤発生器の位置を容易に変更することができる。
【図面の簡単な説明】
【００３８】
【図１】本発明の一実施形態の斜視図である。
【図２】同上の断面図である。
【図３】同上の分解斜視図である。
【図４】同上の間仕切り壁との関係を示す斜視図である。
【図５】同上の床配線収納ダクト内への配線の導入例を示す説明のための断面図である。
【図６】同上の床配線収納ダクトに導入した配線に接続した配線器具にケーブルを接続して室内に導出する例を示すもので、（ａ）は正面断面図であり、（ｂ）は蓋体を一部破断した平面図であり、（ｃ）は側面断面図である。
【図７】同上の床配線収納ダクトに導入した配線に接続した配線器具に屋内に設置した電気機器に接続したケーブルを接続する例を示す説明図である。
【図８】本発明の他の実施形態の断面図である。
【図９】本発明の更に他の実施形態を示し、（ａ）は中蓋体を取付けた部分の断面図であり、（ｂ）は配線器具の取付けた部分の断面図である。
【符号の説明】
【００３９】
１  配線
２  収納部
３  開口
４  蓋体
５  床配線収納ダクト
６  床仕上げ材
７  床
８  支柱
８ａ  支柱
９  際根太
１０  配線器具
１１  取付け部
１２  間仕切り壁
１３  骨組み体
１４  配線ダクト兼用下横枠
【図１】
2005312101.tif 000003
【図２】
2005312101.tif 000004
【図３】
2005312101.tif 000005
【図４】
2005312101.tif 000006
【図５】
2005312101.tif 000007
【図６】
2005312101.tif 000008
【図７】
2005312101.tif 000009
【図８】
2005312101.tif 000010
【図９】
2005312101.tif 000011